(57)【要約】【課題】フィルムロールの巻きずれ防止の精度向上が図れるナーリング加工装置を提供する。【解決手段】第一のナーリングロール２０と第二のナーリングロール３０とで樹脂フィルム５０を挟圧して樹脂フィルム５０にナーリング加工を施すナーリング加工装置１０であって、前記第一のナーリングロール２０の外周面２９に、頂部２５が平面とされ、該平面が樹脂フィルム５０を介して前記第二のナーリングロールの外周面３９に当接する、周方向に延びる凸条２４を突設し、前記第二のナーリングロール３０の外周面３９に、前記第一のナーリングロール２０の凸条２４間に形成される溝部２６に樹脂フィルム５０を押し込む、周方向に延びる凸条３４を突設する。【選択図】図６
2011136549.tif 000002
【特許請求の範囲】
【請求項１】
第一のナーリングロールと第二のナーリングロールとで樹脂フィルムを挟圧して樹脂フィルムにナーリング加工を施すナーリング加工装置であって、
前記第一のナーリングロールの外周面には、頂部が平面とされ、該平面が樹脂フィルムを介して前記第二のナーリングロールの外周面に当接する、周方向に延びる凸条が突設され、
前記第二のナーリングロールの外周面には、前記第一のナーリングロールの凸条間に形成される溝部に樹脂フィルムを押し込む、周方向に延びる凸条が突設されていることを特徴とするナーリング加工装置。
【請求項２】
前記第一のナーリングロールの溝部に前記第二のナーリングロールの凸条によって押し込まれた樹脂フィルムが、前記第一のナーリングロールの溝部の内壁に接触しないように前記第二のナーリングロールの凸条の高さ及び幅が、前記第一のナーリングロールの溝部の深さ及び幅よりも小さくされていることを特徴とする、請求項１に記載のナーリング加工装置。
【請求項３】
前記第二のナーリングロールの凸条の先端部は、頂部に向かい漸次縮幅することを特徴とする、請求項１又は２に記載のナーリング加工装置。
【請求項４】
前記第一のナーリングロールの凸条の頂部の平面と側面との間が曲面とされていることを特徴とする、請求項１〜３のいずれか１項に記載のナーリング加工装置。
【発明の詳細な説明】
【技術分野】
【０００１】
本発明は、ナーリング加工装置に関する。
【背景技術】
【０００２】
一般に樹脂フィルム（以下、単にフィルムという）は、ロール状に巻き取られてフィルムロールとされ、フィルムロールの状態で保管・輸送されることが多い。フィルムをロール状に巻き取る際には、フィルムを蛇行させないように制御し、ロール芯の方向へ誘導しながら巻き取り作業が行われる。
【０００３】
ところが、フィルムを巻き取る際には、フィルム間に空気が同伴されて、フィルムロールの幅方向のずれ（巻きずれ）を生じることがある。このような巻きずれが生じると、巻きずれ部分がロスとなることに加え、フィルムロールにシワが生じやすい。
【０００４】
従来、こうした問題に対し、ナーリング加工による凹凸形成等の滑り止め加工をフィルムに施し、フィルムの巻きずれを防止することが行われている。例えば、巻き取り前のフィルムの一部にエンボス加工を施すことで、フィルムを巻き取る際、あるいは巻き取った後の巻きずれを防止する方法が提案されている（例えば、特許文献１）。この方法では、エンボス加工装置として、周面に鋸歯状ボスが形成された押圧ロールと周面を弾性体で被覆した支持ロールとでフィルムの両端部を挟圧する装置が開示されている。
【先行技術文献】
【特許文献】
【０００５】
【特許文献１】特開昭４８−１１３４３号公報
【発明の概要】
【発明が解決しようとする課題】
【０００６】
しかしながら、特許文献１の技術では、必ずしも満足できるフィルムロールの巻きずれ防止効果が得られなかった。特に、ポリエチレンテレフタレート（ＰＥＴ）等、比較的硬質な材質のフィルムに対し、十分な巻きずれ防止効果を付与できなかった。
そこで、本発明は、フィルムロールの巻きずれ防止の精度向上が図れるナーリング加工装置を目的とする。
【課題を解決するための手段】
【０００７】
本発明のナーリング加工装置は、第一のナーリングロールと第二のナーリングロールとで樹脂フィルムを挟圧して樹脂フィルムにナーリング加工を施すナーリング加工装置であって、前記第一のナーリングロールの外周面には、頂部が平面とされ、該平面が樹脂フィルムを介して前記第二のナーリングロールの外周面に当接する、周方向に延びる凸条が突設され、前記第二のナーリングロールの外周面には、前記第一のナーリングロールの凸条間に形成される溝部に樹脂フィルムを押し込む、周方向に延びる凸条が突設されていることを特徴とする。
前記第一のナーリングロールの溝部に前記第二のナーリングロールの凸条によって押し込まれた樹脂フィルムが、前記第一のナーリングロールの溝部の内壁に接触しないように前記第二のナーリングロールの凸条の高さ及び幅が、前記第一のナーリングロールの溝部の深さ及び幅よりも小さくされていることが好ましく、前記第二のナーリングロールの凸条の先端部は、頂部に向かい漸次縮幅することが好ましく、前記第一のナーリングロールの凸条の頂部の平面と側面との間が曲面とされていることが好ましい。
【発明の効果】
【０００８】
本発明のナーリング加工装置によれば、第一のナーリングロールの外周面に、頂部が平面とされ、該平面が樹脂フィルムを介して前記第二のナーリングロールの外周面に当接する、周方向に延びる凸条を突設し、第二のナーリングロールの外周面に、前記第一のナーリングロールの凸条間に形成される溝部に樹脂フィルムを押し込む、周方向に延びる凸条を突設することで、ナーリング加工により滑り止め部を形成でき、巻きずれ防止の精度向上が図れる。
前記第一のナーリングロールの溝部に前記第二のナーリングロールの凸条によって押し込まれた樹脂フィルムが、前記第一のナーリングロールの溝部の内壁に接触しないように前記第二のナーリングロールの凸条の高さ及び幅を、前記第一のナーリングロールの溝部の深さ及び幅よりも小さくすることで、フィルムに滑り止め部を効率的に形成できる。
前記第二のナーリングロールの凸条の先端部を頂部に向かい漸次縮幅させることで、硬質の材質のフィルムに、ナーリング加工による滑り止め部を形成でき、巻きずれ防止の精度向上が図れる。
前記第一のナーリングロールの凸条の頂部の平面と側面との間を曲面とすることで、ナーリング加工中のフィルムの破損を防止できる。
【図面の簡単な説明】
【０００９】
【図１】本発明の第一の実施形態にかかるナーリング加工装置を備えた巻き取りシステムの斜視図である。
【図２】本発明の第一の実施形態にかかるナーリング加工装置を構成する第一のナーリングロールの断面図である。
【図３】図２の第一のナーリングロールの部分拡大図である。
【図４】本発明の第一の実施形態にかかるナーリング加工装置を構成する第二のナーリングロールの断面図である。
【図５】図４の第二のナーリングロールの部分拡大図である。
【図６】図１の第一のナーリングロールと第二のナーリングロールとでフィルムを挟圧した状態を示すナーリング加工装置の部分断面図である。
【図７】本発明の第二の実施形態にかかるナーリング加工装置を備えた巻き取りシステムの斜視図である。
【図８】本発明の第二の実施形態にかかるナーリング加工装置を構成する第二のナーリングロールの断面図である。
【図９】図８の第二のナーリングロールの部分拡大図である。
【図１０】図７の第一のナーリングロールと第二のナーリングロールとでフィルムを挟圧した状態を示すナーリング加工装置の部分断面図である。
【発明を実施するための形態】
【００１０】
（第一の実施形態）
本発明の第一の実施形態にかかるナーリング加工装置について、以下に図面を用いて説明する。図１において、符号１は、ナーリング加工装置１０と、ナーリング加工が施されたフィルムを巻き取るロール芯４０とを有する巻き取りシステムを示す。ロール芯４０は、図示されない駆動装置と接続され、フィルム５０を矢印Ｆの方向に移送しながら、巻き取るものである。
【００１１】
ナーリング加工装置１０は、第一のナーリングロール軸２２と、第一のナーリングロール軸２２に設けられた略円筒形の第一のナーリングロール２０と、第二のナーリングロール軸３２と、第二のナーリングロール軸３２に設けられた略円筒形の第二のナーリングロール３０とで概略構成されている。
第一のナーリングロール２０と第二のナーリングロール３０とは、フィルム５０を介して当接するように配置されている。
【００１２】
図２は、第一のナーリングロール２０の軸線に沿った断面図であり、図３は、第一のナーリングロール２０の外周面近傍の部分拡大図である。
図２に示すように、第一のナーリングロール２０には、第一のナーリングロール軸２２を挿入するロール軸穴２１が形成されている。また、第一のナーリングロール２０の外周面２９には、周方向に延びる複数の凸条２４が突設されると共に、凸条２４間に溝部２６が形成されている。
図３に示すように、凸条２４は、その頂部２５が第一のナーリングロール２０の半径方向と略直交する平面とされ、頂部２５から外周面２９に向かうに従い、暫時その幅が広くなる形状とされている。また、頂部２５の平面と、該平面に隣接し外周面２９へと続く側面２８との間は、曲面２７とされている。
なお、本実施形態において、溝部２６の内壁は、曲面２７、側面２８、外周面２９で構成されている。
【００１３】
第一のナーリングロール２０の材質は特に限定されないが、例えば、アルミニウム、ステンレス鋼等の金属が好ましい。第一のナーリングロール２０を金属製とすることで、後述するナーリング加工により、フィルムに良好な滑り止め効果を付与できる。
【００１４】
第一のナーリングロール２０における頂部２５の幅Ｗ１は、フィルム５０の材質やナーリング加工の程度を勘案して決定でき、好ましくは０．２〜０．６ｍｍとされる。０．２ｍｍ未満であるとフィルムが切断されやすくなり、０．６ｍｍ超であるとフィルムに十分な滑り止め効果を付与できないおそれがある。
【００１５】
曲面２７は、フィルム５０の材質や、ナーリング加工の程度等を勘案して決定でき、Ｒ：３〜１０ｍｍ程度とされる。
【００１６】
また、溝部２６を介して隣接する側面２８同士がなす角度θ１（図３）は、好ましくは５０〜７０°とされる。５０°未満であると、フィルムに付与できる滑り止め効果が飽和し、さらなる滑り止め効果の向上が望めない。７０°超であると、フィルムを十分に挟圧できずナーリング加工が不十分となるおそれがあると共に、後述するナーリング加工で形成される滑り止め部の幅が広くなりフィルムの歩留まりが低下する。
【００１７】
溝部２６の深さＤ、即ち頂部２５から外周面２９までの距離は、後述する凸条３４の高さ、ナーリング加工の程度等を勘案して決定できる。
【００１８】
図４は、第二のナーリングロール３０の軸線に沿った断面図であり、図５は、第二のナーリングロール３０の外周面近傍の部分拡大図である。
図４に示すように、第二のナーリングロール３０には、第二のナーリングロール軸３２を挿入するロール軸穴３１が形成され、第二のナーリングロール３０の外周面３９には、周方向に延びる複数の凸条３４が突設されている。
【００１９】
図５に示すように、第二のナーリングロール３０は、その頂部３５が、第二のナーリングロール３０の半径方向に略直交する平面とされ、頂部３５に隣接する側面３６は、第二のナーリングロール３０の半径方向と略平行とされている。加えて、側面３６と外周面３９との間は、曲面３７とされている。
【００２０】
凸条３４の高さＨ、即ち外周面３９から頂部３５までの距離は、溝部２６の深さＤ、フィルム５０の材質、求めるナーリング加工の程度等を勘案して決定でき、例えば、１〜１０ｍｍ程度とされる。高さＨが１ｍｍ未満であるとナーリング加工が不十分となって、十分な巻きずれ防止効果をフィルム５０に付与できないおそれがある。高さＨが１０ｍｍ超であると、凸条３４の耐久性が不十分となるおそれがある。
【００２１】
なお、本実施形態においては、図６に示すように、第二のナーリングロール３０の凸条３４は、フィルム５０を溝部２６に押し込んだ際に、フィルム５０が溝部２６の内壁に接触しない大きさとされている。即ち、凸条３４の高さＨが溝部２６の深さＤよりも小さく、凸条３４の幅が溝部２６の幅よりも小さいものとされている。
【００２２】
頂部３５の幅Ｗ２は、フィルム５０の材質、求めるナーリング加工の程度等を勘案して決定でき、例えば、１〜６ｍｍ程度とされる。
隣接する凸条３４間の距離Ｌは、フィルム５０の材質、求めるナーリング加工の程度等を勘案して決定でき、例えば、３〜３０ｍｍ程度とされる。距離Ｌが３〜３０ｍｍであれば、巻きずれ防止に十分な滑り止め部をフィルム５０に形成することができる。
【００２３】
第二のナーリングロール３０の材質は、例えば、ナイロン、ポリオレフィン等の樹脂が好適に用いられる。第二のナーリングロール３０を樹脂製とすることで、ナーリング加工の際にフィルムを破損しにくくできる。
【００２４】
なお、本実施形態においては、加工対象となるフィルム５０の幅に応じて、第二のナーリングロール３０を移動させて対応できるように、第一のナーリングロール２０が、第二のナーリングロール３０よりも広い幅で、かつ第二のナーリングロール３０の凸条３４の数以上の溝部２６を有するものとされている。
【００２５】
加工対象であるフィルム５０の材質は、特に限定されず、例えば、ポリエチレン、ポリプロピレン等のポリオレフィン、ポリスチレン、ＰＥＴ等のポリエステル等が挙げられる。本実施形態において、フィルム５０は、ポリオレフィンやポリスチレン等の比較的軟質な材質であることが好ましい。
【００２６】
次に、本実施形態のナーリング加工装置１０を有する巻き取りシステム１を用いたフィルムロールの製造方法について、図１、６を用いて説明する。
【００２７】
図１に示すように、フィルム５０を繰り出し、第一のナーリングロール２０と第二のナーリングロール３０との間にフィルム５０を供給する。第一のナーリングロール２０と第二のナーリングロール３０とは、矢印Ｆの方向にフィルム５０が移送されるのに伴って回転しつつ、供給されたフィルム５０を挟圧する。この間、図６に示すように、フィルム５０は、その一部が第一のナーリングロール２０の頂部２５と第二のナーリングロール３０の外周面３９とで挟圧されると共に、他の一部が第二のナーリングロール３０の凸条３４により溝部２６に押し込まれる。
凸条３４によりフィルム５０が溝部２６に押し込まれると、頂部２５と外周面３９とで挟圧された部分のフィルム５０が頂部２５に押し付けられて粗面化され、擦り傷状の粗面部５２が線状に形成される（図１）。加えて、溝部２６内では、フィルム５０が、溝部２６の両端に位置する頂部２５と外周面３９とで挟圧されたまま凸条３４で押圧されるため、幅方向に伸びて皺様の歪み部が形成される。こうして、ナーリング加工装置１０を通過したフィルム５０の幅方向の一方の端部近傍には、粗面部５２と、該粗面部５２間に形成された歪み部とからなる滑り止め部５１が、フィルム５０の移送方向に沿って形成される（ナーリング加工）。一方、ナーリング加工が施されていない領域である未処理部５６は、フィルム５０の当初の性状、例えば平滑面が維持される。
【００２８】
ナーリング加工装置１０により滑り止め部が形成されたフィルム５０は、さらに矢印Ｆの方向に移送され、ロール芯４０に巻き取られ、フィルムロール５４となる（巻き取り工程）。フィルム５０はロール状に巻き取られる際、隣接するフィルム５０の滑り止め部５１同士が引っ掛かり、あるいは抵抗となって、巻きずれを起こすことなくフィルムロール５４となる。
【００２９】
本実施形態によれば、フィルムの移送方向に沿って、粗面部と歪み部とで構成された滑り止め部が形成されるため、ロール状に巻き取る際、あるいはフィルムロールとした後にも、滑り止め部同士が引っ掛かり、あるいは抵抗となってフィルム幅方向のずれを防止できる。
【００３０】
従来のナーリング加工装置では、所望する凹凸の形状に対応する型が形成されたナーリングロールをフィルムに押し付けて凹凸を形成し、この凹凸の引っ掛かりによって巻きずれ防止を図っていた。このような凹凸が形成されたフィルムを巻き取ると、凸形状同士が重なる箇所が生じ、この重なりが多数層に生じるとフィルムロールのナーリング加工を施した部分が厚くなる。そうすると、ナーリング加工が施されていない未処理部は、フィルム間に空気を抱き込んだ状態となり、巻きずれが生じやすくなる。
本実施形態のナーリング加工装置により形成された滑り止め部は、粗面部と歪み部とで構成され、かつこの歪み部はフィルムが幅方向に伸ばされて薄くなっている。このため、本実施形態のナーリング加工装置により滑り止め部が形成されたフィルムを巻き取っても、フィルムロールの幅方向の端部近傍が厚くならず、フィルム間に空気を抱き込むことなく巻きずれを防止できる。
【００３１】
さらに、本実施形態のナーリング加工装置は、第一のナーリングロールの頂部と第二のナーリングロールの外周面とでフィルムを挟圧しつつ、第二のナーリングロールの凸条でフィルムを押圧して粗面部及び歪み部を形成する。このため、フィルムは、ナーリング加工の際に未処理部が幅方向に引っ張られるようなストレスを受けず、未処理部が歪むことなくナーリング加工が施される。
【００３２】
加えて、第一のナーリングロールの凸条は、その頂部が平面とされているため、ナーリング加工の際にフィルムを破損することなく、フィルムを第一のナーリングロールの溝部に安定的に押し込むことができる。この結果、フィルムに粗面部と歪み部とを効率的に形成できる。
【００３３】
第二のナーリングロールの凸条は、その高さ及び幅が、ナーリング加工の際に第一のナーリングロールの溝部の内壁に接触しないように、第一のナーリングロールの溝部の深さ及び幅よりも小さくされているため、フィルムを破損することがない。
【００３４】
第一のナーリングロールの凸条の頂部の平面と側面との間が曲面とされているため、ナーリング加工の際に、第一のナーリングロールの凸条の頂部にフィルムをより強く押し付けることができる。この結果、フィルムを破損せずに効率的に粗面部を形成できる。
【００３５】
（第二の実施形態）
本発明の第二の実施形態にかかるナーリング加工装置について、以下に図面を用いて説明する。第一の実施形態と同じ構成には同じ符号を付してその説明を省略すると共に、主に第一の実施形態と異なる点について説明する。第一の実施形態と異なる点は、凸条の先端部が、頂部、即ち突端に向かい漸次縮幅する第二のナーリングロールを備える点である。
図７において、符号１００は、ナーリング加工装置１１０と、ナーリング加工が施されたフィルムを巻き取るロール芯４０とを有する巻き取りシステムを示す。
【００３６】
ナーリング加工装置１１０は、第一のナーリングロール軸２２と、第一のナーリングロール軸２２に設けられた略円筒形の第一のナーリングロール２０と、第二のナーリングロール軸３２と、第二のナーリングロール軸３２に設けられた略円筒形の第二のナーリングロール１３０とで概略構成されている。
第一のナーリングロール２０と第二のナーリングロール１３０とは、フィルム５０を介して当接するように配置されている。
【００３７】
図８は、第二のナーリングロール１３０の軸線に沿った断面図であり、図９は、第二のナーリングロール１３０の外周面近傍の部分拡大図である。また、図１０は、フィルム５０にナーリング加工を施す工程を説明するナーリング装置の部分断面図である。
図８に示すように、第二のナーリングロール１３０の外周面３９には、周方向に延びる複数の凸条１３４が突設されている。
【００３８】
図９に示すように、凸条１３４には、外周面３９から曲面１３７を介して略垂直に立ち上がる側面１３６と、側面１３６から突端に向かい互いに近づく傾斜面１３８と、傾斜面１３８に隣接する頂部１３５とが形成されている。凸条１３４には、頂部１３５と、頂部１３５を挟んで形成された傾斜面１３８とで先端部１３３が形成され、先端部１３３が外周面３９から頂部１３５に向かい漸次縮幅するものとされている。凸条１３４の突端である頂部１３５は、第二のナーリングロール３０の半径方向に略直交する平面とされている。
任意の凸条１３４の傾斜面１３８同士がなす角度θ２は、例えば、３５〜４５°とされる。
【００３９】
凸条１３４の高さｈ、即ち外周面３９から頂部１３５までの距離は、第一の実施形態における凸条３４の高さＨと同様である。
【００４０】
なお、本実施形態においては、図１０に示すように、第二のナーリングロール１３０の凸条１３４は、フィルム５０を溝部２６に押し込んだ際に、フィルム５０が溝部２６の内壁に接触しない大きさとされている。即ち、凸条１３４の高さｈが溝部２６の深さＤよりも小さく、凸条１３４の幅ｗ２が溝部２６の幅よりも小さいものとされている。
【００４１】
凸条１３４の側壁１３６部分の幅ｗ２は、第二のナーリングロール３０の材質等を勘案して決定でき、例えば、１〜６ｍｍ程度とされる。
頂部１３５の幅ｗ３は、フィルム５０の材質、求めるナーリング加工の程度等を勘案して決定でき、好ましくは０．２７〜１．０ｍｍ、より好ましくは０．２７〜０．５ｍｍとされる。０．２７ｍｍ未満であると、フィルム５０が切断されやすくなり、１．０ｍｍ超であると頂部３５からフィルム５０に掛かる荷重が不十分となり、ナーリング加工が不十分となるおそれがある。
隣接する凸条１３４間の距離ｌは、第一の実施形態における凸条３４間の距離Ｌと同様である。
【００４２】
第二のナーリングロール１３０の材質は、第二のナーリングロール３０と同様である。
【００４３】
本実施形態において、加工対象であるフィルム５０の材質は、ポリエチレン、ポリプロピレン等のポリオレフィン、ポリスチレン、ＰＥＴ等のポリエステル等が挙げられ、中でもＰＥＴ等のポリエステルのように比較的硬質な材質であることが好ましい。本実施形態のナーリング加工装置１００は、硬質のフィルム５０に対するナーリング加工において、その効果が顕著なためである。
【００４４】
次に、本実施形態のナーリング加工装置１１０を有する巻き取り装置１００を用いたフィルムロールの製造方法について、図７、１０を用いて説明する。
【００４５】
図７に示すように、フィルム５０を繰り出し、第一のナーリングロール２０と第二のナーリングロール１３０との間にフィルム５０を供給し、第一のナーリングロール２０と第二のナーリングロール１３０とで供給されたフィルム５０を挟圧する。この間、図１０に示すように、フィルム５０は、その一部が第一のナーリングロール２０の頂部２５と第二のナーリングロール１３０の外周面３９とで挟圧されると共に、他の一部が第二のナーリングロール１３０の凸条１３４により溝部２６に押し込まれる。この際、凸条１３４の先端部１３３が頂部１３５に向かい漸次縮幅しているため、十分な荷重がフィルム５０に掛けられる。
凸条１３４によりフィルム５０が溝部２６に押し込まれると、頂部２５と外周面３９とで挟圧された部分のフィルム５０が頂部２５に押し付けられて粗面化され、擦り傷状の粗面部５２が線状に形成される（図７）。加えて、溝部２６内では、フィルム５０が、溝部２６の両端に位置する頂部２５と外周面３９とで挟圧されたまま凸条１３４で押圧されるため、幅方向に伸びて皺様の歪み部が形成される。この際、先端部１３３は、頂部１３５に向かい漸次縮幅しているため、頂部１３５に荷重が集中し、ＰＥＴのような硬質のフィルム５０を容易に延伸して歪み部を形成できる。
こうして、ナーリング加工装置１０を通過したフィルム５０の幅方向の一方の端部近傍には、粗面部５２と、該粗面部５２間に形成された歪み部とからなる滑り止め部５１が、フィルム５０の移送方向に沿って形成される（ナーリング加工）。そして、フィルム５０は、ロール芯４０に巻き取られ、フィルムロール５４となる（巻き取り工程）。
【００４６】
本実施形態によれば、先端部が頂部に向かい漸次縮幅するため、フィルムがＰＥＴ等の硬質なものであっても、第一のナーリングロールの溝部にフィルムを押し込んだ際、十分にフィルムに荷重を掛け、擦り傷状の粗面部と皺様の歪み部とを良好に形成できる。
加えて、第二のナーリングロールの凸条は、その高さ及び幅が、ナーリング加工の際に第一のナーリングロールの溝部の内壁に接触しないように、第一のナーリングロールの溝部の深さ及び幅よりも小さくされているため、フィルムを破損することがない。
さらに、第一のナーリングロールの凸条の頂部の平面と側面との間が曲面とされているため、ナーリング加工の際に、第一のナーリングロールの凸条の頂部にフィルムをより強く押し付け、フィルムを破損せずに効率的に粗面部を形成できる。
【００４７】
本発明は、上述の実施形態に限定されるものではない。
第一及び第二の実施形態では、第一のナーリングロールの凸条は、頂部から外周面に向かうに従い、暫時その幅が広くなる形状とされているが、例えば、その側面が第一のナーリングロールの半径方向と略平行とされていてもよい。ただし、第一のナーリングロールの凸条の形状は、耐久性等を上げる観点から、頂部から外周面に向かうに従い、暫時その幅が広くなる形状が好ましい。
【００４８】
第一及び第二の実施形態では、第二のナーリングロールの凸条の頂部が平面とされているが、例えば、第二のナーリングロールの凸条の頂部は曲面とされていてもよい。ただし、ナーリング加工の際に、第一のナーリングロールの溝部内でフィルムに安定的した荷重を掛けると共に、フィルムの破損を防止する観点から、第二のナーリングロールの凸条の頂部は平面とされていることが好ましい。
【００４９】
第一及び第二の実施形態では、第二のナーリングロールには３つの凸条が突設されているが、例えば、第二のナーリングロールには１〜２つの凸条が突設されていてもよいし、４つ以上の凸条が突設されていてもよい。ただし、巻きずれ防止効果の向上、安定生産の観点から、第二のナーリングロールに突設される凸条の数は、２〜３つが好ましく、３つがより好ましい。
【００５０】
第一及び第二の実施形態では、第二のナーリングロールの凸条の側面は第二のナーリングロールの半径方向と略平行とされているが、例えば、第二のナーリングロールの凸条の側面が、第二のナーリングロールの外周面に向かうに従い傾斜する形状であってもよい。
【００５１】
第一及び第二の実施形態では、第一のナーリングロールの幅が、第二のナーリングロールよりも大きい幅とされているが、例えば、第一のナーリングロールの幅は第二のナーリングロールの幅と同等であってもよい。
また、第一及び第二の実施形態では、第一のナーリングロールに、第二のナーリングロールの凸条の数以上の溝部が形成されているが、例えば、該溝部の数は、第二のナーリングロールの凸条の数と同じであってもよい。
【００５２】
第一及び第二の実施形態では、第一のナーリングロールと第二のナーリングロールとが、フィルムの幅方向の一方の端部近傍に配置されているが、例えば、フィルムの中央部に滑り止め部が形成されるように、第一のナーリングロールと第二のナーリングロールとが配置されていてもよい。あるいは、第一のナーリングロールと第二のナーリングロールとが、フィルムの幅方向の両端近傍に配置されていてもよい。
また、第一及び第二の実施形態では、第一のナーリングロールと第二のナーリングロールとが一対設けられているが、二対以上であってもよい。
【符号の説明】
【００５３】
１０、１１０      ナーリング加工装置
２０      第一のナーリングロール
２４、３４、１３４      凸条
２５、３５、１３５      頂部
２６      溝部
２７      曲面
２８      側面
２９、３９      外周面
３０、１３０    第二のナーリングロール
５０      フィルム
１３３    先端部
【図１】
2011136549.tif 000003
【図２】
2011136549.tif 000004
【図３】
2011136549.tif 000005
【図４】
2011136549.tif 000006
【図５】
2011136549.tif 000007
【図６】
2011136549.tif 000008
【図７】
2011136549.tif 000009
【図８】
2011136549.tif 000010
【図９】
2011136549.tif 000011
【図１０】
2011136549.tif 000012